Podtech/llm-jp-corpus-v4-ja_patent huggingface dataset:
(57)【要約】【課題】一般的な脚立の脚は傾斜支柱となっているが、従来の収納式の伸縮手すりは平行支柱であったため脚立の支柱に収まらないものであった。傾斜支柱に収納できる手すりを実現するためには傾斜２軸同時伸縮機構が必要であった。【解決手段】手すりの傾斜支柱３を保持する傾斜枠４は脚立脚５に接合して一定傾斜角度を保持するように固定する。傾斜支柱３の上端はハンドル支柱２に一定角度で連結されている。浮動ハンドル１はセンタリングユニット１１を介してハンドル支柱とつながっている。浮動ハンドル１を上下に動かすと傾斜支柱３が上下に摺動して手すりが収納位置から使用状態位置にワンタッチで伸縮できて固定ピン６で位置固定できる。【選択図】図１
2018017003.tif 000002
【特許請求の範囲】
【請求項１】
支柱を保持する傾斜枠が一定角度を保持しているとき、その傾斜枠の中を摺動する２本の傾斜支柱の上端部を伸縮するハンドルユニットで連結した構造とし、ハンドル支柱はハンドル軸方向に摺動する構造、ハンドル軸水平方向にはずれない嵌めあい構造、傾斜支柱とハンドル支柱は一定角度に固定した構造を有して浮動ハンドル部を持って上下することで傾斜２軸も一体となって同時伸縮する機能を備えたもの。
【請求項２】
ハンドルユニットにおいて浮動ハンドル内に固定した滑車と左右のハンドル支柱をワイヤーで適正位置に連結することで浮動ハンドルが常に中央に位置するように組んだセンタリングユニット。
【請求項３】
請求項１と請求項２を組み合わせて使用することで、傾斜２軸の伸縮位置とハンドルの伸縮位置が一対一対応できるようにしたもの
【発明の詳細な説明】
【技術分野】
【０００１】
この発明は、一定角度で傾斜した支柱に収納できる手すりを備えた脚立に関する。
【背景技術】
【０００２】
高所作業の安全のため手すりを付けた脚立があるが、使わない時は短く収納してコンパクトにしておきたい。手すりを平行支柱に沿って伸縮できる脚立は出ているが、傾斜支柱に沿って伸縮収納できるものは出ていない。
【先行技術文献】
【特許文献】
【０００３】
【特許文献１】特開2000-160974
【特許文献２】実登3148643
【発明の概要】
【発明が解決しようとする課題】
【０００４】
一般的に脚立の支柱は下部を広く取り上部に上がるほどに狭くして支柱は傾斜させているものである。手すりを使わない時はこの傾斜支柱に沿って収納しておき、使用時に一挙に伸ばして固定して使いたい。本発明は一定角度で傾斜した支柱に収納した両軸を同時伸縮させる機構に関するものである。従来の収納式手すりは伸縮軸を平行にして軸間距離を一定とすることにより同時伸縮を実現していた。これでは伸縮は滑らかであっても傾斜支柱には収納できないので別途に収納箱を設ける無駄が生じていた。
【課題を解決するための手段】
【０００５】
脚立脚５に沿って傾斜支柱枠４を両サイドに接合固定する。この傾斜支柱枠４の中を手すりの傾斜支柱３が摺動できるようにする。傾斜支柱３の上端にはハンドルユニット１０が連結されている。ハンドルユニットはハンドル支柱２と浮動ハンドル１そしてその内部にセンタリングユニット１１で構成され、水平方向に伸縮できる構造となっている。手すりが傾斜支柱に収納された状態ではハンドルユニットは長い状態であるが、上部に引き出された状態では傾斜軸の傾きに沿ってハンドルユニットは短くなる。傾斜支柱の伸縮に合わせてハンドルユニットの伸縮が連動することが条件の一つであるが、これだけでは滑らかな同時伸縮は実現しない。左右の傾きで傾斜支柱３の伸縮長さに差が生じて動かなくなる。２つめの条件で傾斜支柱とハンドル支柱２はハンドルが水平となる一定角度の状態で固定しておかねばならない。３つめの条件として、手すりをセットするため浮動ハンドル１を持って伸縮した時にハンドル支柱２がハンドル軸から外れないように隙間嵌めあい構造で横ずれ防止を図ることで傾斜支柱でも同時伸縮可能である。さらに滑らかな動作を実現するため４つめの条件は浮動ハンドル１が常に中央にくるようにセンタリングユニットを設ける。簡易なセンタリングユニットとして浮動ハンドル１のセンターから左右ハンドル支柱端部をそれぞれバネで結んで均等の力で引くハンドルユニットバネ式９とする。
【０００６】
図２に示す傾斜支柱X軸とY軸があり、その水平距離を２等分する点の軌跡をZ軸とすると、ハンドルユニット１０の中心CはZ軸の上を動くのが理想であるが、前項のバネ方式ではずれることもある。精度良いセンタリング方式として図３に示すセンタリングユニット11は浮動ハンドル内側にスペーサー１３で固定され、その上に伸びた支持金具１４の両端部に設けられた滑車１２にワイヤー１５が一周掛けられている。ワイヤー１５には左右のハンドル支柱２をそれぞれワイヤー固定具１６で固定している。ハンドル支柱２の伸縮に応じてワイヤー１５は連動するが、左右のハンドル支柱２はワイヤー固定具１６にて連結されているのでワイヤー動作の制約を受けて基準点からの変位量が左右同じ長さになるように動く。すなわち浮動ハンドル１はハンドルユニット１０の中央に位置し、その中心Cは常にZ軸上を動くように動作が制約されていることになる。ハンドルユニット１０は両端を傾斜支柱３に固定しているが、浮動ハンドル１をZ軸に沿って上下に伸縮すると傾斜支柱を含む手すりが滑らかに出し入れできることになる。
【０００７】
脚立の手すりとして使うときは、収納位置から浮動ハンドルを持って上に引き上げて、所定位置になったら固定ピン６で傾斜支柱を係止めすることで手すりがセットできる。
【発明の効果】
【０００８】
上述したように本発明の傾斜２軸の同時伸縮機構は脚立に取り付けて簡便で場所をとらない収納式手すりとして利用できる。また、キャリーバッグの伸縮ハンドルとしても利用できる。複数連結すれば、立体的な構造にもできるのでテントの高さ調整に利用したりもでき、多方面の伸縮用途のものに利用可能である。
【図面の簡単な説明】
【０００９】
【図１】本発明の斜視図
【図２】傾斜軸の関係を示す平面図
【図３】伸縮ハンドル図
【図４】手すり使用状態図
【図５】手すり収納状態図
【符号の説明】
【００１０】
1  浮動ハンドル
2  ハンドル支柱
3  傾斜支柱
4  傾斜支柱枠
5  脚立脚
6  固定ピン
9  ハンドルユニットバネ式
10  ハンドルユニット
11  センタリングユニット
12  滑車
13  スペーサー
14  支持金具
15  ワイヤー
16  ワイヤー固定具
【図１】
2018017003.tif 000003
【図２】
2018017003.tif 000004
【図３】
2018017003.tif 000005
【図４】
2018017003.tif 000006
【図５】
2018017003.tif 000007
(57)【要約】【課題】  複数パートからなるカラオケ演奏において、もとのパート分けに関わらず、メロディの「いいとこ取り」した歌唱ができるカラオケが欲しいが、「いいとこ」の選択基準が歌唱者によって異なるため、これまで実現していなかった。【解決手段】  カラオケ演奏時に、演奏者はヘッドマウントディスプレイ（ＨＭＤ）を装着し演奏風景を仮想現実（ＶＲ）で再生し、演奏者が見た方向のパートの演奏を元に当該カラオケ演奏を採点する。【選択図】図１
2018036349.tif 000002
【特許請求の範囲】
【請求項１】
複数のパートからなる楽曲の歌唱採点機能をもつカラオケであって、
全パートが映し出されている映像を持ち、
全パートのリファレンスノートを持ち、
各パートの歌唱者の歌唱位置が特定でき、
前記映像を視聴する際に、利用者が映像上のどの位置を見ているかを特定することができるネットワークカラオケシステムにおいて、
マイクから入力された利用者の歌唱を、
利用者が見ている方向の歌唱者のパートのリファレンスノートに基づいて採点することを特徴とするネットワークカラオケシステム。
【発明の詳細な説明】
【技術分野】
【０００１】
本発明は、複数のパートがあるカラオケの演奏時に任意のパートを選択して歌唱するカラオケに関する。
【背景技術】
【０００２】
カラオケ技術の発達により、カラオケの演奏時にモニタに表示される映像は、カラオケの楽しみの一つになっており、多彩な映像を充実させることは、カラオケの楽しみとなって来ている。
【０００３】
一方、近年の仮想現実（ＶＲ）に代表される映像技術により、ゲーム市場において仮想的な臨場感が追求されている。あたかも現場にいるような感覚を味わうことができるゲームなどもある。
【０００４】
カラオケの世界においてもＶＲ映像技術を利用して臨場感を味わうことができるカラオケも現れている。
【先行技術文献】
【特許文献】
【０００５】
【特許文献１】特開平10-149089号公報
【特許文献２】特願2016-087786号公報
【非特許文献】
【０００６】
【非特許文献１】ClubDAM ライブダムスタジアム  http://www.clubdam.com/livedamstadium/
【非特許文献２】アイドルと一緒にステージデビューも！？  仮想空間で究極のヒトカラを体験！Project Morpheus向け「JOYSOUND VR」を東京ゲームショウ2015に出展  http://www.xing.co.jp/news/archives/5938
【発明の概要】
【発明が解決しようとする課題】
【０００７】
特許文献１は、遊戯者に対し現実に近い仮想現実感を与えた環境の下でゲームやカラオケ等の遊戯を楽しませるようにするために、ヘッドマウンティング式ディスプレイを用いずに、カラオケボックス等の独立した遊戯室内の壁面に大型の表示画面を少なくとも３面配設し、遊戯者自身が特定の立体空間内に存在しているような画像を表示し、カラオケやゲーム等を多様な形態で楽しめる環境を作り出すように構成する。浮揚像を大型表示画面の前方に表示させ、現実感の増した遊戯空間を作り出す。通信衛星や双方向ネットワークを介してゲームソフト等のデータを提供機関から配信する。
【０００８】
特許文献２は、ＨＭＤで表示されるＶＲ映像に、歌唱者の動きに関わらず歌唱者の視野の同一位置に歌詞を表示するとともに、歌唱者のＨＭＤに視聴している映像をカラオケのモニタに表示するとともに、録画も可能にするというものである。
【０００９】
非特許文献１は、ＤＡＭの「ライブ  ダム  スタジアム」というサービスで、歌手のライブ映像付きの歌を選曲すると、コンサート会場の拍手や歓声、雑音などの音声が曲とともに再現される。歌手の映像と観客の様子を別々のモニタに映し出すこともでき、大観衆の前で歌っているような臨場感が楽しめるというものである。
【００１０】
非特許文献２は、エクシングが東京ゲームショウ２０１５に出展したPlaystation（登録商標）向けに提供したプロトタイプである。
【００１１】
特許文献１は、平成９年の出願であり現時点（平成２８年）のようなヘッドマウントディスプレイ（ＨＭＤ）を使用する物でないため、利用者の向きを認識する物ではない。
特許文献２は、本発明の発明者が出願したものでＨＭＤを装着してＶＲ映像を楽しむものであるが、利用者の向きは認識するがそれはＨＭＤの映像やモニタ映像の視野に反映されるのみである。
【００１２】
また非特許文献１においても実施例では実際のコンサートライブの雰囲気や野外の臨場感を視覚において味わうことができるが、利用者の向きを認識する物ではない。
非特許文献２は、利用者の動きがＨＭＤの映像の視野に反映されるのみである。
【課題を解決するための手段】
【００１３】
前記の問題に鑑み、本発明の請求項１は、
複数のパートからなる楽曲の歌唱採点機能をもつカラオケであって、
全パートが映し出されている全方位映像を持ち、
全パートのリファレンスノートを持ち、
各パートの歌唱者の歌唱位置が特定でき、
前記全方位映像を視聴する際に、利用者が映像上のどの位置を見ているかを特定することができるネットワークカラオケシステムにおいて、
マイクからの入力された歌唱者の歌唱を、
利用者が見ている方向の歌唱者のパートのリファレンスノートに基づいて採点することを特徴とするネットワークカラオケシステムである。
【発明の効果】
【００１４】
これにより、いくつかのパートからなる楽曲を歌唱する歌唱者は、あらかじめ歌唱するパートを決めることなく歌唱しながら自分が歌いたいパートを向いて当該パートを歌唱することで当該パートの歌唱採点を楽しむことができる。
【図面の簡単な説明】
【００１５】
【図１】本発明の請求項１の実施例に係る歌唱イメージ図。
【図２】本発明の請求項１の実施例に係る歌唱中のイメージ図１。
【図３】本発明の請求項１の実施例に係る歌唱中のイメージ図２。
【発明を実施するための形態】
【００１６】
図１は本発明の実施例である。利用者５は歌唱者１，２，３，４からなるコーラスの楽曲を歌唱しようとしている。
【００１７】
図２は利用者５が歌唱者１の方向を向いた時のイメージ図で、歌唱者１のメロディをリファレンスとして、利用者５の歌唱が採点される。
【００１８】
図３は利用者５が歌唱者４の方向を向いた時のイメージ図で、利用者５が歌唱者４を向いたタイミング以降については歌唱者４のメロディをリファレンスとして、利用者５の歌唱が採点される。
【符号の説明】
【００１９】
１・・・歌唱者１
２・・・歌唱者２
３・・・歌唱者３
４・・・歌唱者４
５・・・利用者
【図１】
2018036349.tif 000003
【図２】
2018036349.tif 000004
【図３】
2018036349.tif 000005
(57)【要約】      （修正有）【課題】作業効率を落とさずに、また手指から前腕の衛生環境を保ちながら、かつ頭部、頸部、肩甲帯に負担をかけずに時間管理を行えるように、時計を設けた名札ケースを提供する。【解決手段】名札ケース１の上部に、回転軸４で結合した土台２を設け、土台に時計３（アナログ・デジタル・時間に関する全ての機能を有する時計）とソーラーパネルを設ける。【選択図】図１
2018036239.tif 000002
【特許請求の範囲】
【請求項１】
名札ケース（１）の上部に、回転軸（４）で結合した土台（２）を設け、土台に時計（３）を設置した名札時計。
【発明の詳細な説明】
【技術分野】
【０００１】  この発明は、可変式の名札ケースに時計（アナログ・デジタル・時間に関する全ての機能を有するとソーラーパネルを設けた時計つき名札ケースに関するものである。
【背景技術】
【０００２】  従来、名札ケースは自分の名前や役職を相手に伝え、また他者と識別する名札を収納する機能しかなかった。
腕時計は手首に巻くことが主な装着方法、装着箇所とされていた。
また、胸時計は取り付け場所が胸に限定され、しかも角度が３０度、時計はデジタル表示と限定されていた。
【先行技術文献】
【特許文献】
【０００３】
【特許文献１】  特開平９−２６６８１０号公報
【特許文献２】  特開２０１６−２２３７０号公報
【発明の概要】
【発明が解決しようとする課題】
【０００４】  医療や介護などの現場では、脈拍の計測、薬の投与や食事、排泄の時間等の生活管理に時間の管理は重要で時計は必需品であるが、手洗い、消毒、手袋使用等の衛生管理の徹底も同時に要求され、腕時計の裏蓋やバンド内側部の汗や湿気、手洗い時の水濡れ、排泄物の跳ねなどの汚れは不衛生であり、腕時計の使用が困難であった。
胸時計では、角度が３０度に限定され、しかも胸部により近い位置で装着されるため、頭部・頸部を屈曲位に保たなければ目視出来ないため、頸部に可動域制限のある方や障害をお持ちの方には視認性が悪く、さらには肩こりやストレートネックを誘発する可能性があることが示唆された。
また、患者の脈をとる際、時計を見ながら１５秒間の脈拍数を計測するが、デジタル表示では時計のカウントと脈拍数のカウントを同時に行わなければならないため、計測開始時間と終了時間の把握に間違いが生じやすく、正確な脈拍数を計測するのが困難であった。
時計表示のみでは作業中の対象から離れて時間管理を行うことが困難であり、常に時間を注視していなければならず作業効率が低下した。また時間表示のみでは速度計測が困難であった。
本発明は、以上のような欠点をなくすためになされたものである。
【課題を解決するための手段】
【０００５】  名札ケース（１）の上部に回転軸（４）と可変式の土台（２）を設け、土台に時計（３）（アナログ・デジタル・時間に関する全ての機能を有する時計）とソーラーパネル（５）を設ける。
【発明の効果】
【０００６】  名札ケースが時計のバンドの役割を果たし、時計を身体に装着しながらも手指から前腕までを清潔に保て作業中の時間管理、衛生管理、作業の効率化が容易となる。
土台部での角度変化が可能になったことにより、また胸部から時計までの距離が延長し、作業中の視認性が大幅に拡大、頭頸部・肩甲帯の負担が軽減できる。
胸部だけでなく、腹部のポケットや首から吊り下げることも可能で、さらに視認性が拡大できる。
アナログ表示の秒針により時間把握が容易となり、脈拍数などの計測ミスを防ぐことが可能となる。
アラーム機能により作業中の対象から離れて、他の作業をしながら同時に時間管理をすることが可能となる。
ソーラーパネルの設置により着用時に蓄電が可能となり電池交換が不要となった。
【図面の簡単な説明】
【０００７】
【図１】  本発明の時計面での左斜視図である。
【図２】  本発明の名札正面での左斜視図である。
【図３】  本発明の土台屈曲位での左側面図である。
【図４】  本発明の土台垂直位での左側面図である。
【発明を実施するための形態】
【０００８】  名札ケース（１）の上部に、回転軸（４）で結合した土台（２）を設ける。
土台にアナログ・デジタル・時間に関する全ての機能を有する時計（３）とソーラーパネル（５）を設置する。
本発明は以上のような構造である。
【符号の説明】
【０００９】    １  名札ケース
２  土台
３  時計
４  回転軸
５  ソーラーパネル
【図１】
2018036239.tif 000003
【図２】
2018036239.tif 000004
【図３】
2018036239.tif 000005
【図４】
2018036239.tif 000006
(57)【要約】【課題】高効率のヒートポンプ加熱機により、自然エネルギーの利用を促進するシステムを提供する。【解決手段】内部に熱交換器（３）を設けた圧力容器（２）に圧入口（７）と廃圧口（６）を設け、同圧入口に圧縮機（８）接続して同圧縮機の気体取り入れ口に太陽熱温室（１１）内部から延伸した送風ダクト（１２）を接続し、廃圧口（６）には圧縮気体駆動回転機（９）を接続することを特徴とする。【選択図】図２
2018036036.tif 000002
【特許請求の範囲】
【請求項１】
熱交換器（３）を内部に設けた圧力容器（２）に圧縮機（８）をもちいて圧縮気体を送り、その圧縮されて温度上昇した圧縮気体によって熱交換器（３）やその他の加熱対象物を加熱するヒートポンプ加熱装置において、加熱に利用されて放出される廃圧縮気体の膨張エネルギーから圧縮気体駆動回転機（９）によって回転力も得ることを特徴とするヒートポンプ加熱装置。
【請求項２】
圧縮機（８）の気体吸入口（１７）を太陽熱温室（１１）内部に設けることを特徴とする請求項１記載のヒートポンプ加熱装置。
【請求項３】
蒸気圧駆動回転機（９）に液体流量調整機構（１８）を設け、又は、直近に接続してそれに加熱済み液体パイプ（４）を接続することを特徴とする請求項１記載のヒートポンプ加熱装置。
【発明の詳細な説明】
【発明の詳細な説明】
【技術分野】
【０００１】この発明は、気体の圧縮熱によって物を加熱するヒートポンプ加熱装置に関するものである。
【背景技術】
【０００２】従来、家庭用給湯器などにヒートポンプ給湯器があった。
【発明が解決しようとする課題】
【０００３】この発明は、従来のヒートポンプ加熱機において、熱交換器または他の加熱対象物を加熱した後の圧縮気体は未利用に放出されていた。
この未利用に放出されていた圧縮気体の膨張するエネルギーからタービンなどによって回転力を得て、更に圧縮前の気体を太陽熱温室で温めてヒートポンプ加熱装置の効率を上げることを目的にされたものである。
【課題を解決しようとする手段】
【０００４】熱交換器（３）または、他の加熱対象物を内部に設けた圧力容器（２）に圧縮機（８）と圧縮気体駆動回転機（９）を接続し、同圧縮機に太陽熱温室（１１）内部から延伸した送風ダクト（１２）を接続する。
本発明は、以上のような構成からなるヒートポンプ加熱装置である。
【発明実施の形態】
【０００５】以下、発明実施の形態を説明する。
（イ）内部に熱交換器（３）を設けた圧力容器（２）に圧入口（７）と廃圧口（６）を設け、圧縮機（８）と圧縮気体駆動回転機（９）をそれぞれ接続する。
（ロ）圧縮機（８）の気体吸入工（１７）を太陽熱温室（１１）内部に設ける。
（ハ）熱交換器（３）にポンプ（５）を接続する。
（ニ）蒸気圧駆動回転機（１０）の直近、又は、直接液体流量調整バルブ（１８）を設けてそれに加熱済み液体パイプ（４）を接続する。
本発明は以上のような構造で、これは主に圧縮熱によって蒸気を発生させ、発電をしようとするものであります。
したがって、高い圧縮熱を得るために図２に示すように、太陽熱温室（１１）を設けてそこで暖められた空気を圧縮機（８）によって圧縮し、圧力容器（２）に送って太陽熱温室熱と圧縮熱との相乗効果によって内部の熱交換器（３）を流れる水を加熱してその高温水の蒸気によって蒸気圧駆動回転機（１０）で発電機を回転させる。
さらに、廃圧口（６）に圧縮気体駆動回転機（９）を接続しその回転力も発電などに利用する。
復水器（１４）の廃熱は復水機廃熱ダクト（１５）を介して温室（１１）に送るか送風ダクトから圧縮機（８）に送り、さらに、圧縮機（８）は高回転の遠心式やタービン式を用いれば気体に摩擦熱が発生し、より効率よく圧縮熱を得られる。
【発明の効果】
【０００６】太陽熱温室の熱と圧縮熱の相乗効果によって熱交換器を加熱し、加熱に利用した気体の廃圧も利用するので効率のよいシステム運営ができる。
【図面の簡単な説明】
【図１】本発明、圧縮加熱部分の一部を切り欠いた正面図である。
【図２】本発明、実施例の簡略図である。
【符号の説明】１ヒートポンプ加熱機
２圧力容器
３熱交換器
４加熱済み液体パイプ
５ポンプ
６廃圧口
７圧入口
８圧縮機
９圧縮気体駆動回転機
１０蒸気圧駆動回転機
１１温室
１２送風ダクト
１３廃蒸気パイプ
１４復水器
１５復水器廃熱ダクト
１６復水循環パイプ
１７気体吸入口
１８液体流量調整機構
【図１】
2018036036.tif 000003
【図２】
2018036036.tif 000004
(57)【要約】【課題】以前は作り立ての食事は、冷めてから食べるまで冷蔵庫に入れていたが、出来あがった食事をテーブル上で食べる時間まで保温保冷して、傷まないようにし虫から守り、以前のように温めたり冷蔵庫に入れる手間を省く。本発明は以上の問題点を提供する。【解決手段】蝿帳の裏側全体に断熱シートを貼り、断熱シートに袋を設けその袋に必要に応じて保冷材又は保温材を入れるようにした冷温庫。【選択図】図１
2018036037.tif 000002
【特許請求の範囲】
【請求項１】
蝿帳の裏側全体に断熱シートを貼り、断熱シートに袋を設け、その袋に必要に応じて保冷材または保温材を入れるようにした冷温庫。
【発明の詳細な説明】
【技術分野】
【０００１】本発明は食卓テーブル上での食事の虫よけ、短時間の保冷、保温、に関するものである。
【背景技術】
【０００２】従来、日本の食卓には虫よけとしての機能を持った「はいちょう」という名前の網でできた傘型のものがあった。
【発明の概要】
【発明が解決しようとする課題】
【０００３】出来あがった食事をテーブルに置いていると、食事が冷めるたり傷んだりすることがあった。また虫にもさらされ、時間がたつと、電子レンジや冷蔵庫を使う手間もあった。
本発明は以上の問題点を解決するためになされたものである。
【課題を解決するための手段】
【０００４】蝿帳の裏側全体に断熱シートを貼り、断熱シートに袋を設け、その袋に必要に応じて保冷材又は保温材を入れるようにした冷温庫。
【発明の効果】
【０００５】従来の蝿帳は、保温、保冷の機能は無かったので、家事のうち、衛生面を一番問われる料理の保存を楽に行える。
【図面の簡単な説明】
【０００６】
【図１】本発明の一部切欠き斜視図。
【発明を実施するための形態】
【０００７】以下、本発明の実施の形態を説明する。
（イ）蝿帳（１）の裏側全体に断熱シート（２）を貼る。
（ロ）断熱シート（２）を貼った蝿帳（１）の裏側の四面に保冷材（３）や保温材（４）を入れる袋（５）４つをつける。
本発明は以上の様な構造である。
本発明を使用するときは、食事をテーブルに置いたら、すぐに保冷か、保温かを決め、保冷材又は保温材を蝿帳（１）の袋にいれる。それによって温度を一定にできる。
【符号の説明】１  蝿帳、２  断熱シート、３  保冷材、４  保温材、５  袋、
【図１】
2018036037.tif 000003
(57)【要約】      （修正有）【課題】壁紙などの残メーター数を知るための簡単な定規を提供する。【解決手段】壁紙残メータ計測定規１は、壁紙初期計測値２で、巻紙の初期値の数字を選び、巻紙の左端にライン３を合わせ、巻紙の右端の位置が、巻紙右端点からの読取りライン数値６のどのラインに当たるかを見て、そのラインの上部、または下部に書かれてある数字を見ることにより、残メーター数を知ることができる。【選択図】図１
2018036057.tif 000002
【特許請求の範囲】
【請求項１】
巻紙の残メーター数が読み取れる定規
【発明の詳細な説明】
【技術分野】
【０００１】
この発明は、巻紙のメーター数計測に関する
【背景技術】
【０００２】
従来の壁紙などの残メータ数を測るための、残メーター数が記載された定規は無かった。
【発明の概要】
【発明が解決しようとする課題】
【０００３】
壁紙など巻いてある物を、数メーター使用した後のものの残メーター数を測るのに、巻き直しをしなくても定規をあてることにより、残メーター数がわかることを課題とする
【課題を解決するための手段】
【０００４】
以上の課題を解決するために、本発明は、残巻紙の直径に定規を当てることにより、その端末部分に当たる位置に記載された定規の数字を見ることにより残メーター数がわかる事を特徴とする定規である。  
【発明の効果】
【０００５】
本発明によれば現場で職人などが、材料の残メーター数を知るのが簡単になる。
【図面の簡単な説明】
【０００６】
【図１】この定規の姿図である。壁紙の一般的心棒の直径の直径４センチ  を例に作成したものである
【図２】この定規の表示線、数値のもとになる、巻紙の直径と残メーター数を計算した一覧表である
【０００７】
この発明の一実施形態を、図１に示す。
心棒が４センチで巻紙の初期直径が２０センチから２５センチで５０メータ  ー巻きのものを計測できるよう作成されてある
【０００８】
「実施形態の効果」
この実施形態によれば、２の部分で、巻紙の初期値のミリ数に該当する数字を選び、巻紙の左端に３のラインを合わせ、巻紙の右端の位置が６のどのラインに当たるかを見て、そのラインの上部、または下部に書かれてある数字を見ることにより残メーターが読み取れる
【符号の説明】
【０００９】
１、残メーター計測定規  ２、巻紙初期計測値  ３、巻紙左端あてがいライン  ４、巻紙心棒４センチ未満の場合の１メータ相当の心棒の減少巾  ５、心棒４センチ物の残メーター数０の位置  ６、巻紙右端点からの読み取りライン数値
【図１】
2018036057.tif 000003
【図２】
2018036057.tif 000004
(57)【要約】【課題】日常手のひらに装着していても不自由不便のない衛生的なハンドカバーを提供する。【解決手段】手のひらに納まるサイズの薄い弾力性素材を設け、素材の中程に指を通す輪状部材を縫合して設けたことを特徴とするクリーンハンドカバー。【選択図】図３
2018150662.tif 000002
【特許請求の範囲】
【請求項１】
手のひらに納まるサイズの薄い弾力性素材を設け、素材の中程に指を通す輪状部材を縫合して設けたことを特徴とするクリーンハンドカバー。
【発明の詳細な説明】
【技術分野】
【０００１】本発明は、公共の手摺り、吊り革等に直接手のひらが触れないようにした衛生に関するものである。
【背景技術】
【０００２】従来、不特定多数の人が利用する手摺り吊り革に直に触れていた。
【発明の概要】
【発明が解決しようとする課題】
【０００３】そのために、次のような問題点があった。
（イ）不特定多数の人が利用する手摺り吊り革に直に触れることに抵抗があった。
本発明は、これらの問題点を解決するためになされたものである。
【課題を解決するための手段】
【０００４】手のひらに納まるサイズの薄い弾力性素材を設け、素材の中程に指を通す輪状部材を縫合して設けた。
以上を特徴とするクリーンハンドカバーである。
【発明の効果】
【０００５】輪状に指を通しカバーを手のひらで保持すると手のひらがカバーで保護される。手摺り吊り革に直接触れず手のひらを衛生的に保つことができる。手のひらに装着しているために目立たずバッグを携帯するなど不自由不便なことはない。
【図面の簡単な説明】
【０００６】
【図１】本発明の斜視図である。
【図２】本発明の側面図である。
【図３】本発明を手のひらに装着して手摺りを掴んだ使用例を示す図である。
【図４】本発明の輪状を指に通しカバーが手のひらで保持されている状態を示す使用例図である。
【発明を実施するための形態】
【０００７】以下、本発明の実施の形態について説明する。
手のひらに納まるサイズの薄い弾力性素材を設け、素材の中程に指を通す輪状部材を縫合して設けた。
本発明は以上のような構成である。
これを使用するときは、輪状部材に指を通すとカバーが手のひらで保持される。手のひらが手摺り吊り革等に直接触れず衛生的でありカバーが手のひらの中に納まるため普段装着していても問題ない。
【符号の説明】
【０００８】１  ハンドカバー
２  輪状部材
３  手
４  手摺り
【図１】
2018150662.tif 000003
【図２】
2018150662.tif 000004
【図３】
2018150662.tif 000005
【図４】
2018150662.tif 000006
(57)【要約】      （修正有）【課題】発進過程における追突事故の確率の低減。【解決手段】走行方向で直前にある車両との距離に依存して自動車の速度を所定の最大値に制限し、運転者に依存しないブレーキ介入、および／または運転者に依存しない自動車の駆動トルクもしくはエンジントルクの低減によって、最大値を超える速度上昇を阻止するか、または速度を最大値に下げる。【選択図】図１
2018150031.tif 000002
【特許請求の範囲】
【請求項１】
発進過程における自動車（Ｂ）の速度制限方法であって、
−走行方向で直前にある車両（Ａ）との距離を検知し、かつ
−前記距離に依存して前記自動車（Ｂ）の速度を所定の最大値に制限する、方法。
【請求項２】
前記距離が減少するのにしたがい前記最大値も低下することを特徴とする、請求項１に記載の方法。
【請求項３】
運転者に依存しないブレーキ介入、および／または運転者に依存しない駆動トルク低減によって、前記最大値を超える速度上昇を阻止するか、または前記速度を前記最大値に下げることを特徴とする、請求項１に記載の方法。
【請求項４】
前記距離の減少に続いて前記距離が増加すると、前記最大値が再び上昇することを特徴とする、請求項３に記載の方法。
【請求項５】
前記最大値が上昇したときに前記自動車の速度を上昇させるために、最初に、運転者に依存しないブレーキ介入を、その程度について低減するか、または中止し、これで足りない場合には運転者に依存しない前記駆動トルクの低減を完全に、または部分的に取り消すことを特徴とする、請求項４に記載の方法。
【請求項６】
所定の距離を下回ると、前記自動車（Ｂ）にブレーキをかけて停止させることを特徴とする、請求項１に記載の方法。
【請求項７】
前記自動車（Ｂ）の走行方向で直前にある車両（Ａ）との距離がパーキングセンサ系によって検知されることを特徴とする、請求項１に記載の方法。
【請求項８】
装置であって、本発明による方法を実施するように形成されている手段を含む、装置。
【発明の詳細な説明】
【背景技術】
【０００１】
車両が停止から再び発進する場合、例えば渋滞後に車両列が停止から発進する際に追突事故が発生するおそれがある。こうした追突事故は、特に不注意によって、例えば渋滞において先行車両の運転者が発進した後に思いがけず再びブレーキをかけて減速するか、または停止する場合に発生する。
【発明の概要】
【０００２】
本発明は、発進過程における自動車の速度制限方法であって、
−走行方向で直前にある車両との距離を検知し、かつ
−その距離に依存して自動車の速度を所定の最大値に制限する、方法に関する。
それにより、車両列の発進過程における追突事故の確率が低下する。
【０００３】
本発明の有利な一実施形態は、距離が減少するのにしたがい速度の最大値も低下することを特徴とする。
【０００４】
本発明の有利な一実施形態は、運転者に依存しないブレーキ介入、および／または運転者に依存しない自動車の駆動トルクもしくはエンジントルクの低減によって、最大値を超える速度上昇を阻止するか、または速度を最大値に下げることを特徴とする。この場合、加えられるエンジントルクに対する制動力の反作用を回避するために、特にエンジントルクの低減を優先することができる。それゆえ、最初にエンジントルクの低減を行うこともでき、この低減によって最大値を下回る速度にならない場合にのみ、追加的にブレーキ介入が行われる。このような場合にエンジントルクおよび／またはブレーキシステムへの運転者に依存しない介入によって運転者の要求を却下（Ueberstimmung）することは、衝突を回避するために有意義であり得る。
【０００５】
本発明の有利な一実施形態は、距離の減少に続いて距離が増加すると、最大値が再び上昇することを特徴とする。
【０００６】
本発明の有利な一実施形態は、最大値が上昇したときに自動車の速度を上昇させるために、最初に運転者に依存しないブレーキ介入を、その強度もしくは程度について低減するか、または中止し、これで足りない場合には運転者に依存しない駆動トルクの低減を完全に、または部分的に取り消すことを特徴とする。
【０００７】
本発明の有利な一実施形態は、所定の距離を下回ると、自動車にブレーキをかけて停止させることを特徴とする。
【０００８】
本発明の有利な一実施形態は、自動車の走行方向で直前にある車両との距離がパーキングセンサ系によって検知されることを特徴とする。この実施形態は、低コストでの実現のために適当である。なぜなら、最新の車両はパーキングセンサ系をたいてい搭載しているからである。このパーキングセンサ系は、大抵の場合、超音波を用いるものである。
【０００９】
さらに、本発明は、本発明による方法を実施するように形成されている手段を含む装置に関する。これは特に、本発明による方法を実施するためのプログラムコードを備えた制御装置である。
【図面の簡単な説明】
【００１０】
【図１】車両列の平面図を示す。
【発明を実施するための形態】
【００１１】
図面は図１を含む。
【００１２】
本発明は、発進過程における追突事故の確率を低減することに関する。このために、図１において、方向１００に発進する車両Ａ、Ｂ、Ｃの列が示されている。その場合、慣例では、最初に車両Ａ、その後に車両Ｂ、その後に車両Ｃが発進する。例えば、最初に発進する車両Ａが後続の車両Ｂがすでに発進過程に入った後に思いがけず、または突然再び停止する場合に追突事故が発生するおそれがある。Ｂの運転者が即座に反応しなければ、ＢはＡに追突するおそれがある。
【００１３】
ほとんどの新車はパーキングシステムを装備しているか、またはこれを簡単に追装備できるので、このパーキングシステムを駐車過程のためだけでなく発進過程にも利用する可能性がある。このために、Ｂのパーキングシステムの範囲において利用されるセンサ系、典型的には超音波センサ系またはレーダセンサ系によって、発進方向で隣接する車両Ａとの距離を検知することができ、かつこの距離に依存して（anhaengig）車両の速度を所定の最大値に制限することができる。その場合、距離が減少するのにしたがって最大値を減少させることができ、それによりＢの運転者は制動過程のために十分な時間を有する。
【符号の説明】
【００１４】
１００  走行方向
Ａ、Ｂ、Ｃ  車両、自動車
【図１】
2018150031.tif 000003
【外国語明細書】
2018150031000001.pdf
(57)【要約】      （修正有）【課題】ビーチなど、砂地での荷物の運搬が容易にできるようにゴムつき車輪と、羽根つき車輪を一体化した車輪を荷台に固定したキャリーカートを提供する。【解決手段】海水浴場の砂地をキャンプの道具等を運ぶためのビーチ兼用・キャリーカートに関する物で、ゴムつき車輪と、羽根つき車輪を一体化した車輪を、荷台に固定し設けたものである。ゴム付車輪は、羽根つき車輪より径は大きめである。このキャリーカートは通常の路面でも使用できる。【選択図】図１
2018150022.tif 000002
【特許請求の範囲】
【請求項１】
ゴムつき車輪と、羽根つき車輪を一体化した車輪を、荷台に固定し設けたものである。
ゴム付車輪は、羽根つき車輪より径は大きめである。
このキャリーカートは通常の路面でも使用できる。
【発明の詳細な説明】
【技術分野】
【０００１】この発明は、海水浴場の砂地をキャンプの道具等を運ぶためのビーチ兼用・キャリーカートに関する物である。
【背景技術】
【０００２】従来の、キャリーカートは車輪が２個付いているだけだった。
【先行技術文献】
【０００３】
【特許文献１】
【発明の概要】
【発明が解決しようとする課題】
【０００４】これは、次のような欠点があった。
従来、カートは、車輪２個で可動するが、砂地などの柔らかい地面を使用する場合、車輪が砂に食い込んで可動が困難になる。
本発明は、以上のような欠点をなくすためになされたものである。
【課題を解決するための手段】
【０００５】ゴムつき車輪（１）と羽根つき車輪（２）を組み合わせた物を特徴とする。
本発明は、以上の構成よりなる羽根つき車輪を設けたキャリーカートである。
【発明の効果】
【０００６】ゴム付車輪が砂に埋もれても、羽根つきの車輪が砂に食い込んで空回りすることがなくカートを容易に引っ張ることができる。
ゴムつきの車輪は羽根つき車輪より径を大きくしてあるので通常の路面でも活用できる。
【図面の簡単な説明】
【０００７】
【図１】  正面図
【図２】  断面図
【図３】  各車輪の詳細図
【図４】  砂地に食い込んだ状況
【発明を実施するための形態】
【０００８】以下、本発明を実施するための形態について説明する。
車輪（１）と車輪（２）を一体化させた車輪を、車輪設置プレートにボルトにて設置し荷台に固定する。
ゴムつき車輪は、羽根つき車輪より径は大きめである。
羽根つきの車輪の羽根の材質は、アルミニウムか硬質プラスチック材とする。
羽根の大きさは、幅５０ミリ、長さ３０ミリ前後とする。
本発明は、以上のような構造である。
これを使用するときは、通常路面と、砂地面（ビーチ）で物を運ぶことができる。
【符号の説明】
【０００９】  １  ゴムつき車輪
２  羽根つき車輪
３  車輪（１）は車輪（２）より径が大きめ
以下、本発明を実施するための形態について説明する。
ゴムつき車輪（１）と羽根つき車輪（２）を一体化した車輪である。
ゴムつきの車輪は羽根つき車輪より径を大きくしてあるので通常の路面でも活用できる。
ゴムつき車輪は砂地に埋まるが羽根つき車輪の羽根が砂に食い込み、砂を噛むように前進することができる。
【図１】
2018150022.tif 000003
【図２】
2018150022.tif 000004
【図３】
2018150022.tif 000005
【図４】
2018150022.tif 000006
(57)【要約】【課題】  至る処で使われているＰＥＴボトルを原材料として、ＰＥＴ樹脂繊維として再生して、それを水着やＹシャツの生地を織る繊維として利用する。ＰＥＴボトルを再利用する為に、掛かるコストは低く、また、ごみ箱や海岸等からＰＥＴボトルを無くす事が出来る。しかも、Ｙシャツは白が基本であり、サラリーマンは何十枚もＹシャツを持っていて、必需品である。【解決手段】  この為、この発明に於いては、ＰＥＴボトルを原材料として、ＰＥＴ樹脂繊維として再生して、それを水着やＹシャツの生地を織る繊維として利用する。再生ＰＥＴ樹脂繊維はポリエステルと同じ位の吸水性で、繊維を細くすればフリースの様に軽くも出来て、繊維の表面に窪みや凸凹を付ければ染料も良く付いて繊維自体に染色も出来て、繊維の太さや生地の織り方で繊維の間に水分を含ませる事や透湿性も出る。ポリエステル程度の吸湿性なので、混紡にすれば、水着やＹシャツの生地にそのまま使える。【特許請求の範囲】
【請求項１】
ＰＥＴボトルを再生したＰＥＴ樹脂繊維を水着やＹシャツに再利用する方法
【発明の詳細な説明】
【技術分野】
【０００１】  この発明は、化学分野に関する物である。
【発明の概要】
【０００２】  この発明は、ＰＥＴボトルを再生したＰＥＴ樹脂繊維を水着やＹシャツに再利用する物である。
【背景技術】
【０００３】  ＰＥＴボトルは至る処で飲料の容器として利用されていて、ＰＥＴ樹脂は飲料のボトルに使う程、吸水性が無く、また、ボトル用のＰＥＴ樹脂は重合度が高く、ヤング率も高い。しかし、再生されたＰＥＴ樹脂は重合度が下がり、ボトルとしては再利用できずに、再生繊維としてしか利用できない。再生ＰＥＴ樹脂は重合度が下がる為にヤング率も下がって柔らかくなり、繊維として利用するには十分である。元々、ＰＥＴ樹脂は、分子構造的にはポリエステルと全く同じテレフタル酸とエチレンの２個のモノマーが多数結合した重合体であり、重合度がポリエステル程度に下がれば、ポリエステルと同じ位の吸水性が出る。今現在は、再生ＰＥＴ樹脂繊維はフリース位にしか使われていない。
【発明の開示】
【発明が解決しようとする課題】
【０００４】  至る処で使われているＰＥＴボトルを原材料として、ＰＥＴ樹脂繊維として再生して、それを水着やＹシャツの生地を織る繊維として利用する。ＰＥＴボトルを再利用する為に、掛かるコストは低く、また、ごみ箱や海岸等からＰＥＴボトルを無くす事が出来る。しかも、Ｙシャツは白が基本であり、サラリーマンは何十枚もＹシャツを持っていて、必需品である。
【課題を解決するための手段】
【０００５】  この為、この発明に於いては、ＰＥＴボトルを原材料として、ＰＥＴ樹脂繊維として再生して、それを水着やＹシャツの生地を織る繊維として利用する。再生ＰＥＴ樹脂繊維はポリエステルと同じ位の吸水性で、繊維を細くすればフリースの様に軽くも出来て、繊維の表面に窪みや凸凹を付ければ染料も良く付いて繊維自体に染色も出来て、繊維の太さや生地の織り方で繊維の間に水分を含ませる事や透湿性も出る。ポリエステル程度の吸湿性なので、混紡にすれば、水着やＹシャツの生地にそのまま使える。
【発明の効果】
【０００６】  この発明に依り、世界中のごみ箱や海岸等からＰＥＴボトルが消えて行き、このＰＥＴボトルが繊維に再生されて、布を織る繊維として生地が織られ、サラリーマンのＹシャツに変わる。しかも、原材料がごみ箱や海岸等に捨ててあるＰＥＴボトルであり、コストも安く、再生されたＰＥＴ樹脂繊維で織られたＹシャツは非常に安く製造できる。Ｙシャツは白が基本であり、織り方に依っては透湿性も持たせる事が出来て、あとは、体型や襟、袖口、ポケット等のデザイン位である。世界中にサラリーマンが何人居て、そのサラリーマン１人が何枚のＹシャツを持っているのか。
(57)【要約】      （修正有）【課題】最近市民マラソン大会が定着しているので会場での更衣を考えたものである。多くの市民が参加しる場合、更衣設備が不足し、困っている人が多い。本発明は、屋外での更衣時に使用でき、雨の時は合羽にもなり、芝生等において使用できるシートの提供を目的とした携帯できる万能更衣シートの提供を目指すものである。【解決手段】屋外での更衣時に使用でき、雨の時は合羽にもなり、芝生等において使用できるシートの提供を目的とした携帯できる万能更衣シートを提供を目指すものであり、矩形状の１枚もののシート１で構成され、前記シートには、左右の側面に固定手段２が設けられており、前記固定手段を留めて脱着衣を行う携帯更衣シートである。【選択図】図１
2018119238.tif 000002
【特許請求の範囲】
【請求項１】
矩形状の１枚もののシートで構成され、前記シートには、左右の側面に固定手段が設けられており、前記固定手段を留めて脱着衣を行うことを特徴とする携帯更衣シート。
【請求項２】
前記固定手段が体の前面に位置するように体をシートで囲うことを特徴とする請求項１に記載の携帯更衣シート。
【発明の詳細な説明】
【技術分野】
【０００１】
本発明は携帯更衣シートに関する。
【背景技術】
【０００２】
最近市民マラソン大会が定着しているので会場での更衣を考えたものである。多くの市民が参加しる場合、更衣設備が不足し、困っている人が多い。類似の技術として、携帯用の合羽（実用新案登録第３１９６８１２号）があるが、更衣に使用するためには不便である。
【先行技術文献】
【特許文献】
【０００３】
【特許文献１】実用新案登録第３１９６８１２号
【発明の概要】
【発明が解決しようとする課題】
【０００４】
本発明は、屋外での更衣時に使用でき、雨の時は合羽にもなり、芝生等において使用できるシートの提供を目的とした携帯できる万能更衣シートを提供を目指すものである。
【課題を解決するための手段】
【０００５】
上記の課題を解決するための第１の発明は、矩形状の１枚もののシートで構成され、前記シートには、左右の側面に固定手段が設けられており、前記固定手段を留めて脱着衣を行う携帯更衣シートである。
また、第２の発明は、第１の発明において、前記固定手段が体の前面に位置するように体をシートで囲う携帯更衣シートである。
【発明の効果】
【０００６】
マラソン大会で更衣する時、多数人数の為、どこでも更衣できるように考えたものである。ベロを付けて肩にかぶせて合羽にできるようにポケ抜けにして両手が使えるようにする。
本発明のシートは、更衣時に用いることの他、四角に拡げれば、シートにもなる。リュックなどの荷物を置くのにも便利である。雨が降れば合羽にもなる。
【図面の簡単な説明】
【０００７】
【図１】本発明の実施例
【図２】本発明の携帯更衣シートの使用している状態を示す図である。
【図３】本発明の他の実施例
【図４】本発明の他の実施例だる携帯更衣シートの使用している状態を示す図である。
【発明を実施するための形態】
【０００８】
以下に詳細を図に基づいて説明する。
図１は本発明の実施例である携帯更衣シート１を示したものである。２は固定用ホック、３は固定用ベロ、４はポケ抜けである。
【０００９】
図２は本発明の実施例である携帯更衣シート１を使用する状態を示したものである。ホックボタン２が前面に位置するように体をシートで囲っている。
マラソン大会で更衣する時、多数人数の為、どこでも更衣できるように考えたものである。ベロ３を付けて肩にかぶせて合羽にできるようにして、ポケ抜け４により両手が使えるようにする。首からかぶる時と腰下で使用する時はホックボタン２を使い分ける。男性の場合は腰下(下半身)のみを覆うことで充分な場合もある。その場合はベロ３は腰の位置になる。
【００１０】
本発明は前面をホック止めにして上部部分に５センチおきにホックをつける。首と腰の使い分けをする。マラソン大会で更衣する時、多数人数の為、どこでも更衣できるように考えたものである。ベロを付けて肩にかぶせて合羽にできるようにポケ抜けにして両手が使えるようにする。
【００１１】
図３は本発明の他の実施例である携帯更衣シート５を示したものである。中央部に頭が出せるように穴６を開けたものである。
【００１２】
図４は、図３に示した本発明の他の実施例５の使用状態を示している。２つ折りにして両側に当たる部分をホックボタン２にして首にあたる部分を頭が出せるように穴６を開けたものである。
【符号の説明】
【００１３】
１  本発明の携帯更衣シート
２  ホックボタン
３  固定用ベロ、
４  ポケ抜け
５  本発明の携帯更衣シート（他の実施例）
６  穴（頭を出す）
【図１】
2018119238.tif 000003
【図２】
2018119238.tif 000004
【図３】
2018119238.tif 000005
【図４】
2018119238.tif 000006
(57)【要約】【課題】従来の浮力体（ベストタイプ）はごわつきがあり又ごつく特に夏場には着用する事で暑く熱中症を誘発してしまいます。  【解決手段】滑らかなクロロプレンゴムのウェットスーツ素材の内側（身体側）にポケットを設け、そこに軟質発砲体又は発砲ポリエチレンフォームを入れる事によりウェットスーツ自体が浮力体となり、又夏場時には前ファスナーを開口する事によって体温調整も可能とし、頭部にはフードが付き、通気性を伴った素材を長袖に使用する事によって無謀な日焼けの妨げにもなる物である。【選択図】図1
2018119226.tif 000002
【特許請求の範囲】
【請求項１】
クロロプレンゴムからなるウェットスーツであって、内側に（縦２０ｃｍ、３０ｃｍ、横１０〜２０ｃｍ）の発泡ポリエチレンフォームを２〜６個を有し、前開きファスナーと頭部フード、３ｃｍ四方に１〜３ｍｍの細孔を４００〜５００個有する、ポリウレタン弾性繊維素材からなり、長袖を有することを特徴とするスタンドアップパドル専用ウェットスーツ。
【発明の詳細な説明】
【技術分野】
【０００１】
本発明は、スタンドアップパドルを行う際の水難事故防止及び日焼け対策に関する。
【背景技術】
【０００２】
スタンドアップパドルの競技に参加する際には水難事故を防ぐ為に身体に浮力体を付ける事は必須条件となっています。従来の浮力体（ベストタイプ）はごわつきがあり又ごつく特に夏場には着用する事で暑く熱中症を誘発してしまいます。
【先行技術文献】
【特許文献】
【０００３】
【特許文献１】実用新案登録第3098948号公報
【発明の概要】
【発明が解決しようとする課題】
【０００４】
従来の浮力体（ベストタイプ）はごわつきがあり又ごつく特に夏場には着用する事で暑く熱中症を誘発という問題点があった。
【発明の効果】
【０００５】
本発明はウェットスーツ自体が浮力を有し、前開きなので夏場には体温調節がすることができる。
【課題を解決するための手段】
【０００６】
クロロプレンゴムは、クロロプレンの重合によって得られる合成ゴム。
発泡ポリエチレンフォームとはポリエチレン樹脂を基材として発砲させた科学架橋型のフォーム。
ポリウレタン弾性繊維素材とは伸縮性に極めて優れ、混紡率が低くても特性を失わないため、様々な繊維との組合せで使用される素材のこと
長袖にはポリウレタン弾性繊維素材を使用し快適性、通気性を確保している。
【図面の簡単な説明】
【０００７】
【図１】本発明の正面図
【図２】背面図
【図３】ポケット
【発明を実施するための形態】
【０００８】
以下、本発明の実施の形態を図1〜図6に基づいて説明する。
図1は、本商品を正面から見た物である。ファスナー両側の内側に大型ポケットを
縫い付けてあり、その中に浮力体を収納した物である。
【０００９】
図2は、本商品を後ろから見た物である。背中中央の内側に大型ポケットを縫い付けてあり、その中に浮力体を収納した物である。
【００１０】
図3は、浮力体が収納されている内部図である
【００１１】
以下、上記構成にて作られたスタンドアップパドル専用ウェットスーツは、競技の際水難事故を防ぐ為の救命具としても、通気性を伴った素材を袖に使用し又フードを付ける事で炎天下に頭部を守る事により熱中症をも予防する物である。
【符号の説明】
【００１２】
１  ウェットスーツ
２  袖部
３  浮力体
４  フード
５  ポケット
【図１】
2018119226.tif 000003
【図２】
2018119226.tif 000004
【図３】
2018119226.tif 000005